(57)【要約】【課題】シリンダ錠に関し、鍵違いを構成するためのタンブラのみを使用する場合であってもクリック感を得ることのできることを目的とする。【解決手段】プラグ１とこのプラグ１を回転可能に保持するシリンダケース２との回転境界３を境に移動して前記回転境界３を開閉し、圧縮スプリング４により回転境界３閉塞位置に付勢されるとともに、真正な解錠キー５の挿入により回転境界３開放位置に駆動される適数のタンブラ６を備えたシリンダ錠であって、  前記タンブラ６の適数は、真正な解錠キー５挿入時において、一端がプラグ１への回転操作による回転境界３開放位置への退避可能に回転境界３内に突出して装着され、  初期回転位置からの回転操作に抵抗力を付与するように構成する。【選択図】図３
2009228227.tif 000002
【特許請求の範囲】
【請求項１】
プラグとこのプラグを回転可能に保持するシリンダケースとの回転境界を境に移動して前記回転境界を開閉し、圧縮スプリングにより回転境界閉塞位置に付勢されるとともに、真正な解錠キーの挿入により回転境界開放位置に駆動される適数のタンブラを備えたシリンダ錠であって、
前記タンブラの適数は、真正な解錠キー挿入時において、一端がプラグへの回転操作による回転境界開放位置への退避可能に回転境界内に突出して装着され、
初期回転位置からの回転操作に抵抗力を付与したシリンダ錠。
【請求項２】
内周壁にロック凹部を備えたシリンダケースと、
一端が前記ロック凹部に係脱し、圧縮スプリングにより係止方向に付勢された適数の板状のタンブラを備えてシリンダケース内に挿入され、真正な解錠キーの挿入によりタンブラをロック凹部との係止解除方向に駆動してシリンダケースに対する回転が可能になるプラグとを有し、
前記タンブラの適数は、真正な解錠キー挿入時において、一端がプラグへの回転操作による係止解除位置への移動可能にロック凹部内に突出して装着され、
初期回転位置からの回転操作に抵抗力を付与したシリンダ錠。
【発明の詳細な説明】
【技術分野】
【０００１】
本発明は、シリンダ錠に関するものである。
【背景技術】
【０００２】
プラグに装着されるタンブラを利用してシリンダ錠の初期回転位置への戻り操作に伴うクリック感を得るシリンダ錠としては、特許文献１に記載されたものが知られている。この従来例において、シリンダ錠のプラグ終端には、ストッパタンブラが飛び出し方向に付勢されて装着され、このストッパタンブラをシリンダケースに係止させることによりプラグのシリンダケースからの脱離が防止される。
【０００３】
ストッパタンブラは、飛び出し側先端縁に係止カムを備えるとともに、シリンダケース内周壁には、プラグが初期回転位置にあるときに係止カムが係止する嵌合部が形成される。プラグを非初期回転位置から初期回転位置に復帰させると、係止カムはシリンダケース側の嵌合部に弾発的に嵌合し、クリック感がもたらされる。
【特許文献１】特開２００６-２５７７００号公報
【発明の開示】
【発明が解決しようとする課題】
【０００４】
しかし、上述した従来例において、クリック感はストッパタンブラの飛び出し側辺縁の係止カムをシリンダケースの嵌合部に弾発嵌合することによりもたらされるものであるために、ストッパタンブラがシリンダケースの内周壁に圧接していることを条件とするものである。
【０００５】
この結果、従来例においては、クリック感の発生には、ストッパタンブラの存在を条件とし、解錠キーを挿入によりプラグからの飛び出し寸法が変化する通常のタンブラのみが使用されるシリンダ錠には適用できないという欠点がある。
【０００６】
本発明は、以上の欠点を解消すべくなされたものであって、鍵違いを構成するためのタンブラのみを使用する場合であってもクリック感を得ることのできるシリンダ錠の提供を目的とする。
【課題を解決するための手段】
【０００７】
シリンダケース２内に挿入されるプラグ１には、シリンダケース２とプラグ１との回転境界３に進退するタンブラ６の適数が装着される。各タンブラ６は、圧縮スプリング４により回転境界３を閉塞する施錠位置に向けて付勢されており、プラグ１が初期回転位置にあり、かつ、解錠キー５を挿入しない状態では全てのタンブラ６が回転境界３を閉塞してプラグ１の回転を規制する。
【０００８】
この状態から真正な解錠キー５を挿入すると、タンブラ６は、回転境界３を開放する位置に移動してプラグ１のシリンダケース２に対する回転を許容する。
【０００９】
本発明において、上記タンブラ６の一部、または全部は、真正な解錠キー５を挿入した状態において僅かに回転境界３に突出する寸法に形成される。タンブラ６により回転境界３が閉塞された状態における真正な解錠キー５でのプラグ１の回転を可能にするために、タンブラ６の肩部、すなわち、プラグ１を回転した際にシリンダケース２に当接する部位、あるいはシリンダケース２のタンブラ６の肩部の当接部位には面取り部が形成される。
【００１０】
タンブラ６の突出寸法は、タンブラ６の機能、すなわち、異なった切り込み深さを有する解錠キー５が挿入された際には、面取り部にタンブラ６移動方向の分力が発生しない高さ、すなわち、面取り部が回転境界３に正対しないように設定される。
【００１１】
以上の構成の下、真正な解錠キー５を挿入した状態でプラグ１を初期回転位置から強制回転させると、タンブラ６は面取りからの分力により駆動されて回転境界３を開放し、プラグ１の回転操作が可能になる。プラグ１の回転操作時において、回転境界３を閉塞する方向に付勢されているタンブラ６はシリンダケース２の内周壁、あるいはプラグ１の外周壁を押圧しながら摺接しており、プラグ１を非初期回転位置まで回転操作して解錠操作を行った後、再び初期回転位置まで復帰すると、シリンダケース２の内周壁等により移動を規制されていたタンブラ６は、突出位置に復帰し、このとき、クリック感が発生する。
【００１２】
したがってこの発明によれば、通常の解錠コードを形成するタンブラ６を利用してクリック感を得るために、特別なタンブラ６を要せず、構造が簡単になる。
【００１３】
タンブラ６には、ピン状のものでも板状のものでも使用できる。ピン状タンブラ６は、プラグ１内に保持されるプラグ１内タンブラ６と、シリンダケース２内に保持されるドライブピンとから構成され、ドライブピンとプラグ１内タンブラ６との境界が回転境界３に合致することによりプラグ１の回転が許容される。
【００１４】
ドライブピンにはプラグ１内方への付勢力が付与されており、真正な解錠キー５を挿入した状態において、ドライブピンが僅かにプラグ１内に突出する。ドライブピン側に面取り部が形成されている場合、この状態から解錠キー５を回転させると、ドライブピンの面取り部がシリンダケース２に当接し、さらに回転操作力を与えると、ドライブピンは圧縮スプリング４の付勢力に抗して先端が回転境界３に達するまで移動し、プラグ１への回転操作は妨げられない。
【００１５】
面取り部をシリンダケース２側に形成する場合においても、同様にドライピンが駆動されて回転操作が可能になり、非初期回転位置から復帰する際には、付勢力によりドライブピンはプラグ１外周に圧接された状態となっており、初期回転位置に達した際にプラグ１内に落ち込み、クリック感がもたらされる。
【００１６】
また、タンブラ６に板状のタンブラ６を使用する場合、シリンダ錠は、
内周壁にロック凹部７を備えたシリンダケース２と、
一端が前記ロック凹部７に係脱し、圧縮スプリング４により係止方向に付勢された適数の板状のタンブラ６を備えてシリンダケース２内に挿入され、真正な解錠キー５の挿入によりタンブラ６をロック凹部７との係止解除方向に駆動してシリンダケース２に対する空転が可能になるプラグ１とを有し、
前記タンブラ６の適数は、真正な解錠キー５挿入時に一端がロック凹部７内に突出し、プラグ１への回転操作によってプラグ１内に移動可能に装着され、
初期回転位置からの回転操作に抵抗力を付与して構成される。
【発明の効果】
【００１７】
本発明によれば、鍵違いを構成するためのタンブラのみを使用する場合であってもクリック感を得ることができる。
【発明を実施するための最良の形態】
【００１８】
図１、２に示すように、シリンダ錠は、シリンダケース２にプラグ１を回転自在に挿入して形成される。シリンダケース２の内壁には対向位置に溝状のロック凹部７が長手通しに形成される。
【００１９】
プラグ１は、頭部１ａをシリンダケース２のストッパ凹部２ａに嵌合させることにより後方への抜去が防止されてシリンダケース２に挿入され、後端に固定される操作レバー１１により前方への抜去が防止される。このプラグ１には、前端から後方に向けて、下方に開口された矩形断面形状のキー挿入溝が開設され、キー挿入溝の前端部にはキー規制突起１ｃが設けられる。
【００２０】
キー規制突起１ｃは、キー挿入溝１ｂの側壁から内方に突設されて所定の解錠キー５以外の工具等のキー挿入溝１ｂへの挿入を規制する。この実施の形態において、表裏反転状態での解錠キー５の使用を可能にするために、キー規制突起１ｃ、およびこのキー規制突起１ｃが嵌合する解錠キー５側のガイド溝８は、断面中心に対して点対称位置に形成される。
【００２１】
さらに、プラグ１には、キー挿入溝１ｂに直交する複数のタンブラ挿入溝１ｄが所定ピッチで開設され、各タンブラ挿入溝１ｄ内に２種類のディスクタンブラ６のいずれか一方がプラグ１の回転中心に対して放射方向に移動自在に装着される。以下、ディスクタンブラ６の種類を区別する必要のあるときには、一方をクリック付与タンブラ６Ａ、他方をノーマルタンブラ６Ｂと呼ぶ。
【００２２】
図２に示すように、ディスクタンブラ６は金属板材を打ち抜いて形成され、中央部に矩形のキー挿通開口９が開設される。これらディスクタンブラ６、６・・・は、圧縮スプリング４により飛び出し方向に付勢され、解錠キー５を挿入しない状態でシリンダケース２のロック凹部７に嵌合してプラグ１のシリンダケース２に対する空転を規制する。
【００２３】
この実施の形態において、クリック付与タンブラ６Ａはプラグ１の最後端に１枚使用され、その前方には５枚のノーマルタンブラ６Ｂが装着される。図２（ｂ）に示すように、ノーマルタンブラ６Ｂは、解錠キー５に形成されるコード形成凹部５ａに合致すると、上下端がプラグ１とシリンダケース２との回転境界３に位置し、プラグ１の回転が可能になる。
【００２４】
一方、クリック付与タンブラ６Ａは、図２（ｃ）に示すように、肩部６ａにノーマルタンブラ６Ｂには設けられていないアール面取６ｂを有し、真正な解錠キー５が挿入された状態で一端が微少量ロック凹部７側に突出するように形成される。アール面取６ｂの寸法は、図３（ａ）に示すように、プラグ１を回転させた際にロック凹部７の開放端に当接するように設定される。
【００２５】
したがってこの実施の形態において、真正な解錠キー５を挿入した状態でプラグ１を回転させると、クリック付与タンブラ６Ａの肩部６ａにはロック凹部７の開放端への圧接によるプラグ１内方に向く分力が発生する。この分力によりクリック付与タンブラ６Ａはプラグ１内に退避し、プラグ１の回転が可能になる。
【００２６】
回転操作後、図２（ｃ）の初期回転位置に復帰させると、圧縮スプリング４によりシリンダケース２の内周壁に圧接していたクリック付与タンブラ６Ａは、ロック凹部７に嵌合し、このときクリック感が発生する。
【００２７】
図４以下に本発明の他の実施の形態を示す。なお、以下の実施の形態の説明において、上述した実施の形態と実質的に同一の構成要素は、図中に同一符号を付して説明を省略する。この実施の形態において、ノーマルタンブラ６Ｂは上述した実施の形態と同一のものが使用され、前方５カ所のタンブラ挿入溝１ｄに装着される。
【００２８】
なお、解錠キー５を平面視した状態でのガイド溝８の開放端には、後述するプラグが回転可能な所定位置でガイド溝８と嵌合突起１０とを嵌合させるために、解錠キー５がキー溝嵌合突起１０に接触したときにガイド溝８と嵌合し、所定位置まで導くような傾斜が形成される。
【００２９】
最後部に装着されるクリック付与タンブラ６Ａは、図５（ａ）に示すように、キー挿通開口９から内方に突出するキー溝嵌合突起１０を備えており、挿入された解錠キー５のガイド溝８に嵌合する。図５（ｂ）に示すように、クリック付与タンブラ６Ａのプラグ１内での位置は、キー溝嵌合突起１０がガイド溝８に係止することにより決定され、挿入された解錠キー５が所定位置にガイド溝８を有していると、クリック付与タンブラ６Ａの一端が若干量ロック凹部７内に突出する。
【００３０】
この状態で図５（ｃ）に示すように、プラグ１を回転させると、肩部６ａのアール面取６ｂに内方に向かう分力が発生して図５（ｄ）のようにプラグ１内に退避し、プラグ１の回転が可能になる。
【００３１】
この実施の形態において、クリック感付与のためのタンブラ６は、挿入された解錠コードが真正な解錠コードと同一のガイド溝８を有しているか否かのみを判定し、断面形状が異なっている場合にはプラグ１の回転を規制するように機能する。
（付記１）
プラグ１とこのプラグ１を回転可能に保持するシリンダケース２との回転境界３を境に移動して前記回転境界３を開閉し、圧縮スプリング４により回転境界閉塞位置に付勢されるとともに、真正な解錠キー５の挿入により回転境界開放位置に駆動される適数のタンブラ６を備えたシリンダ錠であって、
前記タンブラ６の適数は、真正な解錠キー５挿入時において、一端がプラグ１への回転操作による回転境界開放位置への退避可能に回転境界３内に突出して装着され、
初期回転位置からの回転操作に抵抗力を付与したシリンダ錠。
（付記２）
内周壁にロック凹部７を備えたシリンダケース２と、
一端が前記ロック凹部７に係脱し、圧縮スプリング４により係止方向に付勢された適数の板状のタンブラ６を備えてシリンダケース２内に挿入され、真正な解錠キー５の挿入によりタンブラ６をロック凹部７との係止解除方向に駆動してシリンダケース２に対する回転が可能になるプラグ１とを有し、
前記タンブラ６の適数は、真正な解錠キー５挿入時において、一端がプラグ１への回転操作による係止解除位置への移動可能にロック凹部７内に突出して装着され、
初期回転位置からの回転操作に抵抗力を付与したシリンダ錠。
（付記３）
内周壁にロック凹部７を備えたシリンダケース２と、
側壁に長手通しにガイド溝８を凹設した解錠キー５が挿通するキー挿通開口９を中心部に備えて一端が前記ロック凹部７に係脱し、圧縮スプリング４により係止方向に付勢された適数の板状のタンブラ６を備えてシリンダケース２内に挿入されたプラグ１とを有し、
前記タンブラ２の適数は、真正な解錠キー５の挿入によりタンブラ６をロック凹部７との係止解除方向に駆動するように形成されるとともに、
残余のタンブラ６は、キー挿通開口９の内周壁から突出したキー溝嵌合突起１０が解錠キー５のガイド溝８に嵌合した状態において、一端がプラグ１への回転操作による係止解除位置への移動可能にロック凹部７内に突出して装着され、
初期回転位置からの回転操作に抵抗力を付与したシリンダ錠。
【図面の簡単な説明】
【００３２】
【図１】本発明を示す図で、（ａ）は（ｂ）の１Ａ-１Ａ線断面図、（ｂ）は正面図、（ｃ）は１Ｃ-１Ｃ線断面図である。
【図２】解錠キーを挿入した状態を示す図で、（ａ）はシリンダ錠の断面図、（ｂ）はノーマルタンブラを示す図、（ｃ）はクリック付与タンブラを示す図である。
【図３】クリック付与タンブラの動作を示す図で、（ａ）は、ロック凹部の開放端に当接した状態を示す図、（ｂ）プラグ内に退避した状態を示す図である。
【図４】他の実施の形態を示す図である。
【図５】クリック付与タンブラを示す図で、（ａ）は解錠キー未挿入状態を示す図、（ｂ）は解錠キー挿入状態を示す図、（ｃ）は肩部がロック凹部に接触するまでプラグを回転させた状態を示す図、（ｄ）はプラグ内に退避するまでプラグを回転させた状態を示す図である。
【符号の説明】
【００３３】
１    プラグ
２    シリンダケース
３    回転境界
４    圧縮スプリング
５    解錠キー
６    タンブラ
７    ロック凹部
【図１】
2009228227.tif 000003
【図２】
2009228227.tif 000004
【図３】
2009228227.tif 000005
【図４】
2009228227.tif 000006
【図５】
2009228227.tif 000007